(57)【要約】  キャリアアグリゲーションをサポートする移動通信システムにおいて基地局と通信を行うユーザ装置において、前記基地局から前記キャリアアグリゲーションにおけるセル又はセルグループを追加するための設定メッセージを受信し、当該セル又はセルグループの設定を行うとともに、前記基地局から当該セル又はセルグループの測定に関する測定設定情報を受信する管理部と、所定の条件が満たされるまで、前記測定設定情報に基づく前記セル又はセルグループの測定を行わず、当該所定の条件が満たされた場合に、前記測定設定情報に基づく前記セル又はセルグループの測定を行って、測定報告を前記基地局に送信する測定部とを備える。
2016121877.tif 000002
【特許請求の範囲】
【請求項１】
キャリアアグリゲーションをサポートする移動通信システムにおいて基地局と通信を行うユーザ装置であって、
前記基地局から前記キャリアアグリゲーションにおけるセル又はセルグループを追加するための設定メッセージを受信し、当該セル又はセルグループの設定を行うとともに、前記基地局から当該セル又はセルグループの測定に関する測定設定情報を受信する管理部と、
所定の条件が満たされるまで、前記測定設定情報に基づく前記セル又はセルグループの測定を行わず、当該所定の条件が満たされた場合に、前記測定設定情報に基づく前記セル又はセルグループの測定を行って、測定報告を前記基地局に送信する測定部と
を備えるユーザ装置。
【請求項２】
前記所定の条件は、前記測定部が前記基地局から測定開始指示を受信することである
請求項１に記載のユーザ装置。
【請求項３】
前記測定部は、前記測定開始指示を受信してから所定期間が経過した場合、又は、前記基地局から測定停止指示を受信した場合に、前記セル又はセルグループの測定を停止する
請求項２に記載のユーザ装置。
【請求項４】
前記所定の条件は、特定のセル又は特定のセルグループの品質が所定値よりも低くなったこと、又は、特定の品質条件を満たすセル又はセルグループの数が所定値未満になったことである
請求項１に記載のユーザ装置。
【請求項５】
キャリアアグリゲーションをサポートする移動通信システムにおいて基地局と通信を行うユーザ装置であって、
前記基地局から前記キャリアアグリゲーションにおけるセル又はセルグループを追加するための設定メッセージを受信し、当該セル又はセルグループの設定を行う管理部と、
非アクティブ状態にある前記セル又はセルグループをアクティブ化させることなく、当該セル又はセルグループについてのチャネル状態の測定を行い、当該セル又はセルグループのチャネル状態情報を前記基地局に送信する測定部と、
前記測定部により前記セル又はセルグループのチャネル状態情報の送信が行われた後に、前記基地局から前記セル又はセルグループのアクティブ化指示を受信した場合に、当該セル又はセルグループをアクティブ化する通信部と
を備えるユーザ装置。
【請求項６】
前記測定部は、前記基地局から測定開始指示を受信してから所定期間後に前記測定を開始する
請求項５に記載のユーザ装置。
【請求項７】
前記測定部は、前記セル又はセルグループのチャネル状態情報を前記基地局に送信するために使用する上り無線リソースとして、他のセル又はセルグループのチャネル状態情報を送信するために用意された上り無線リソースを利用する
請求項５又は６に記載のユーザ装置。
【請求項８】
前記管理部は、前記ユーザ装置において同時にアクティブ化することができるセル又はセルグループの数を含む能力情報を前記基地局に通知する
請求項１ないし７のうちいずれか１項に記載のユーザ装置。
【請求項９】
キャリアアグリゲーションをサポートする移動通信システムにおいて基地局と通信を行うユーザ装置が実行するセル測定方法であって、
前記基地局から前記キャリアアグリゲーションにおけるセル又はセルグループを追加するための設定メッセージを受信し、当該セル又はセルグループの設定を行うとともに、前記基地局から当該セル又はセルグループの測定に関する測定設定情報を受信するステップと、
所定の条件が満たされるまで、前記測定設定情報に基づく前記セル又はセルグループの測定を行わず、当該所定の条件が満たされた場合に、前記測定設定情報に基づく前記セル又はセルグループの測定を行って、測定報告を前記基地局に送信するステップと
を備えるセル測定方法。
【請求項１０】
キャリアアグリゲーションをサポートする移動通信システムにおいて基地局と通信を行うユーザ装置が実行するセル測定方法であって、
前記基地局から前記キャリアアグリゲーションにおけるセル又はセルグループを追加するための設定メッセージを受信し、当該セル又はセルグループの設定を行うステップと、
非アクティブ状態にある前記セル又はセルグループをアクティブ化させることなく、当該セル又はセルグループについてのチャネル状態の測定を行い、当該セル又はセルグループのチャネル状態情報を前記基地局に送信する測定ステップと、
前記測定ステップにより前記セル又はセルグループのチャネル状態情報の送信が行われた後に、前記基地局から前記セル又はセルグループのアクティブ化指示を受信した場合に、当該セル又はセルグループをアクティブ化するステップと
を備えるセル測定方法。
【発明の詳細な説明】
【技術分野】
【０００１】
本発明は、ＬＴＥ等の移動通信システムにおけるセルの測定技術に関連するものである。
【背景技術】
【０００２】
ＬＴＥシステムでは、所定の帯域幅を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。【０００３】
ＣＡが行われる際には、ユーザ装置ＵＥに対して、接続性を担保する信頼性の高いセルであるＰＣｅｌｌ（Ｐｒｉｍａｒｙ  ｃｅｌｌ）及び付随的なセルであるＳＣｅｌｌ（Ｓｅｃｏｎｄａｒｙ  ｃｅｌｌ）が設定される。ユーザ装置ＵＥは、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。【０００４】
ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置ＵＥに対して設定された直後は、非アクティブ状態（ｄｅａｃｔｉｖａｔｅ状態）であるため、アクティブ化することで初めて通信可能（スケジューリング可能）となるセルである。【０００５】
図１に示すように、例えばＬＴＥのＲｅｌ．１０のＣＡでは、同一基地局ｅＮＢ配下の複数のＣＣを用いている。また、Ｒｅｌ．１０のＣＡでは、例えば図２に示すように、最大で５つのＣＣを束ねることで、広帯域化により高速なデータレートを実現している。【０００６】
Ｒｅｌ．１２では、異なる基地局ｅＮＢ配下のＣＣを用いて同時通信を行い、高スループットを実現するＤｕａｌ  ｃｏｎｎｅｃｔｉｖｉｔｙ（二重接続）が導入されている。Ｄｕａｌ  ｃｏｎｎｅｃｔｉｖｉｔｙでは、ＵＥは、複数の物理的に異なる基地局ｅＮＢの無線リソースを同時に使用して通信を行う。Ｄｕａｌ  ｃｏｎｎｅｃｔｉｖｉｔｙ（以下、ＤＣ）はＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。Ｒｅｌ．１２までのＣＡでは、ＵＥあたりＣｏｎｆｉｇｕｒｅ可能なＣＣの数は、最大で５である。
【先行技術文献】
【非特許文献】
【０００７】
【非特許文献１】３ＧＰＰ  ＴＳＧ  ＲＡＮ  Ｍｅｅｔｉｎｇ  ＃６６    ＲＰ−１４２２８６  Ｍａｕｉ，  Ｈａｗａｉｉ  （ＵＳ），  Ｄｅｃｅｍｂｅｒ  ８  -  １１，  ２０１４
【発明の概要】
【発明が解決しようとする課題】
【０００８】
一方、Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣ（＝６４０ＭＨｚ）を束ねるＣＡが検討されている（非特許文献１）。一例として、図３に、３２ＣＣを束ねる例を示す。【０００９】
しかし、３２ＣＣ全てのリソースを用いる必要があるほどの具体的な大容量サービスは現状のところ想定されてないため、仮に３２ＣＣの能力を持ち合わせるユーザ装置ＵＥが開発されたとしても、実際に通信を行うのは、その一部のＣＣであることが想定される。不要なＣＣのアクティブ化は、バッテリ浪費を招くからである。【００１０】
一方で、多数のＳＣｅｌｌを同時に予め（ブラインドで）設定しておくことができる場合、ＳＣｅｌｌ追加・削除のためのＲＲＣ信号送受信・処理を割愛し、早期にＳＣｅｌｌのスケジューリングを可能とするという運用が可能である。この場合、基地局ｅＮＢは、とりあえずユーザ装置ＵＥが対応している全ＳＣＣにおいてＳＣｅｌｌを設定しておき、当該ＳＣｅｌｌが使用可能となった時点でアクティブ化を行うことが考えられる。【００１１】
ＳＣｅｌｌが使用可能かどうかを判断するために、基地局ｅＮＢは、ユーザ装置ＵＥからＳＣｅｌｌ品質情報の報告を受ける必要がある。ＳＣｅｌｌ品質情報の報告に関し、ＲＲＭ  ｍｅａｓｕｒｅｍｅｎｔ報告及びＣＱＩ（ＣＳＩ）報告のメカニズムがあるが、それぞれ以下で説明する課題がある。【００１２】
ＲＲＭ  ｍｅａｓｕｒｅｍｅｎｔでは、ユーザ装置ＵＥはＲＲＣ信号により測定設定に従って測定を行う。図４に示すように、ＳＣｅｌｌをブラインドで設定した（ステップ１）後、ユーザ装置ＵＥは、ＳＣｅｌｌが設定されている期間、常に周期的に測定を行って報告をする（ステップ２）。品質測定は、アクティベーション（ステップ３）、スケジューリング開始（ステップ４）のために必要な処理であるものの、常にＳＣｅｌｌの品質測定を行うため、バッテリを浪費する。また、ＲＲＭ  ｍｅａｓｕｒｅｍｅｎｔでは、ユーザ装置ＵＥが非アクティベート状態のＳＣｅｌｌを測定する場合には、ＲＦや内部機能ブロックを共有している他のセルの通信を阻害する可能性がある（例：ＰＣｅｌｌとの通信のｉｎｔｅｒｒｕｐｔｉｏｎが発生）。【００１３】
ＣＱＩ報告に関し、現状、ユーザ装置ＵＥはＡｃｔｉｖａｔｉｏｎ  ｃｏｍｍａｎｄ（アクティブ化指示）を受けた場合にＣＱＩをフィードバックする、或いは、アクティブ状態のＳＣｅｌｌに対してＣＱＩをフィードバックする、ことしかできない。すなわち、図５に示すように、ＳＣｅｌｌをブラインドで設定した（ステップ１１）後、アクティブ化（ステップ１２）をしなければ、ＣＱＩ報告（ステップ１３）を行うことができない。報告を常に行うためにはアクティブ状態を維持すればよいが、既に説明したように、アクティブ状態はバッテリ消費が大きいという問題がある。【００１４】
本発明は上記の点に鑑みてなされたものであり、移動通信システムのユーザ装置において、バッテリ消費を抑えながら、キャリアアグリゲーションで使用されるセルの品質測定を実施することを可能とする技術を提供することを目的とする。
【課題を解決するための手段】
【００１５】
本発明の実施の形態によれば、キャリアアグリゲーションをサポートする移動通信システムにおいて基地局と通信を行うユーザ装置であって、
前記基地局から前記キャリアアグリゲーションにおけるセル又はセルグループを追加するための設定メッセージを受信し、当該セル又はセルグループの設定を行うとともに、前記基地局から当該セル又はセルグループの測定に関する測定設定情報を受信する管理部と、
所定の条件が満たされるまで、前記測定設定情報に基づく前記セル又はセルグループの測定を行わず、当該所定の条件が満たされた場合に、前記測定設定情報に基づく前記セル又はセルグループの測定を行って、測定報告を前記基地局に送信する測定部と
を備えるユーザ装置が提供される。【００１６】
また、本発明の実施の形態によれば、キャリアアグリゲーションをサポートする移動通信システムにおいて基地局と通信を行うユーザ装置であって、
前記基地局から前記キャリアアグリゲーションにおけるセル又はセルグループを追加するための設定メッセージを受信し、当該セル又はセルグループの設定を行う管理部と、
非アクティブ状態にある前記セル又はセルグループをアクティブ化させることなく、当該セル又はセルグループについてのチャネル状態の測定を行い、当該セル又はセルグループのチャネル状態情報を前記基地局に送信する測定部と、
前記測定部により前記セル又はセルグループのチャネル状態情報の送信が行われた後に、前記基地局から前記セル又はセルグループのアクティブ化指示を受信した場合に、当該セル又はセルグループをアクティブ化する通信部と
を備えるユーザ装置が提供される。【００１７】
また、本発明の実施の形態によれば、キャリアアグリゲーションをサポートする移動通信システムにおいて基地局と通信を行うユーザ装置が実行するセル測定方法であって、
前記基地局から前記キャリアアグリゲーションにおけるセル又はセルグループを追加するための設定メッセージを受信し、当該セル又はセルグループの設定を行うとともに、前記基地局から当該セル又はセルグループの測定に関する測定設定情報を受信するステップと、
所定の条件が満たされるまで、前記測定設定情報に基づく前記セル又はセルグループの測定を行わず、当該所定の条件が満たされた場合に、前記測定設定情報に基づく前記セル又はセルグループの測定を行って、測定報告を前記基地局に送信するステップと
を備えるセル測定方法が提供される。【００１８】
また、本発明の実施の形態によれば、キャリアアグリゲーションをサポートする移動通信システムにおいて基地局と通信を行うユーザ装置が実行するセル測定方法であって、
前記基地局から前記キャリアアグリゲーションにおけるセル又はセルグループを追加するための設定メッセージを受信し、当該セル又はセルグループの設定を行うステップと、
非アクティブ状態にある前記セル又はセルグループをアクティブ化させることなく、当該セル又はセルグループについてのチャネル状態の測定を行い、当該セル又はセルグループのチャネル状態情報を前記基地局に送信する測定ステップと、
前記測定ステップにより前記セル又はセルグループのチャネル状態情報の送信が行われた後に、前記基地局から前記セル又はセルグループのアクティブ化指示を受信した場合に、当該セル又はセルグループをアクティブ化するステップと
を備えるセル測定方法が提供される。
【発明の効果】
【００１９】
本発明の実施の形態によれば、移動通信システムのユーザ装置において、バッテリ消費を抑えながら、キャリアアグリゲーションで使用されるセルの品質測定を実施することが可能となる。
【図面の簡単な説明】
【００２０】
【図１】Ｒｅｌ．１０のＣＡを説明するための図である。
【図２】Ｒｅｌ．１０のＣＡにおいてＣＣを束ねる例を示す図である。
【図３】Ｒｅ１．１３のＣＡにおいて、３２ＣＣを束ねる例を示す図である。
【図４】課題を説明するための図である。
【図５】課題を説明するための図である。
【図６】本発明の実施の形態におけるシステムの構成図である。
【図７】多数のＳＣｅｌｌを予め設定しておくことを示す図である。
【図８】第１の実施の形態における処理シーケンスを示す図である。
【図９】ＳＣｅｌｌ測定の開始・停止を行うＭＡＣ  ＣＥの例を示す図である。
【図１０】測定報告を受信できない場合の動作を説明するための図である。
【図１１】ユーザ装置ＵＥが自律で測定停止を行う動作を説明するための図である。
【図１２】第１の実施の形態における処理の効果を説明するための図である。
【図１３】第１の実施の形態における変形例１の処理シーケンスを示す図である。
【図１４】第１の実施の形態における変形例２の処理シーケンスを示す図である。
【図１５】第２の実施の形態における処理シーケンスを示す図である。
【図１６】第２の実施の形態における効果を説明するための図である。
【図１７】Ｃａｐａｂｉｌｉｔｙの通知方法を説明するための図である。
【図１８】ユーザ装置ＵＥの構成図である。
【図１９】ユーザ装置ＵＥのＨＷ構成図である。
【図２０】基地局ｅＮＢの構成図である。
【図２１】基地局ｅＮＢのＨＷ構成図である。
【図２２】ユーザ装置ＵＥの動作例を示すフローチャートである。
【図２３】ユーザ装置ＵＥの動作例を示すフローチャートである。
【発明を実施するための形態】
【００２１】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず、キャリアアグリゲーションを採用した他の移動通信システムにも適用可能である。ＣＡを構成する「セル」は、ユーザ装置ＵＥが在圏するセルでありｓｅｒｖｉｎｇ  ｃｅｌｌと呼んでもよい。また、一例として、ＣＡを構成する「セル」は、下りのＣＣのみ、もしくは、下りのＣＣと上りのＣＣからなる。また、本明細書及び特許請求の範囲における「ＬＴＥ」の３ＧＰＰ規格書のリリースは、ＣＡ（ＤＣを含む）が導入されているリリースであるものとするが、これに限定されるわけではない。
【００２２】
また、以下では、例として、基本的にセル毎の測定開始／停止の制御について説明しているが、セルを複数にまとめたセルグループ（ＣＧ）毎の測定開始／停止の制御についてもセル毎の制御と同様に実施可能である。また、以下では「セルを測定する」のように測定対象を「セル」として説明をしているが、「キャリアを測定する」のように測定対象を「キャリア」としてもよい。本実施の形態においては、「セルを測定する」と「キャリアを測定する」は同義と考えてよい。
【００２３】
（システム全体構成）
図６に、本発明の実施の形態（第１、第２の実施の形態に共通）における通信システムの構成図を示す。図６に示すように、本実施の形態における通信システムは、基地局ｅＮＢとユーザ装置ＵＥとを含む移動通信システムである。基地局ｅＮＢとユーザ装置ＵＥとでＣＡ通信を行うことが可能である。図６では、基地局ｅＮＢとユーザ装置ＵＥがそれぞれ１つずつ示されているが、これは図示の便宜上のものであり、それぞれ複数存在してもよい。
【００２４】
また、図６の例では、１つのセルが示されているが、これも図示の便宜上のものであり、ＣＡが設定される際には複数のセルが存在する。また、例えば、基地局ｅＮＢから離れた場所に、基地局ｅＮＢと光ファイバ等で接続される１つ又は複数のＲＲＥ（遠隔無線装置）が備えられる構成であってもよい。また、複数の基地局ｅＮＢを備えるＤｕａｌ  Ｃｏｎｎｅｃｔｉｖｉｔｙの構成であってもよい。Ｄｕａｌ  Ｃｏｎｎｅｃｔｉｖｉｔｙを対象とする場合、以下で説明する基地局ｅＮＢは、ユーザ装置ＵＥとＲＲＣ接続するＭｅＮＢであることを想定しているが、ＳｅＮＢであってもよい。
【００２５】
本実施の形態（第１、第２の実施の形態に共通）では、前述したように、１つ又は複数のＳＣｅｌｌを予め（ブラインドで）設定しておく。これにより、ＳＣｅｌｌ追加・削除のためのＲＲＣ信号送受信・処理を割愛し、ＳＣｅｌｌでの通信が必要かつ可能になったときに、早期にＳＣｅｌｌのスケジューリングが可能となる。
【００２６】
図７は、複数のＳＣｅｌｌを予め設定しておくことを示す図である。図７に示す例では、マクロセルであるＰＣｅｌｌにカバーされる範囲にある全てのＳＣｅｌｌを設定しておく例を示している。なお、この時点でのＳＣｅｌｌ設定とは、ユーザ装置ＵＥにおいて、ＳＣｅｌｌの情報が設定された状態であり、当該ＳＣｅｌｌでのスケジューリングに基づく送受信を行える状態ではない。
【００２７】
本実施の形態では、ユーザ装置ＵＥにおけるＳＣｅｌｌの測定を、より柔軟に行うことでバッテリ浪費を抑えつつ、早期にＳＣｅｌｌ品質を報告させることを可能としている。以下、具体的な技術として、第１の実施の形態と第２の実施の形態を説明する。第１の実施の形態では、ＲＲＭ測定を用いる場合の解決策として、ＳＣｅｌｌ測定の開始／停止（ＯＮ／ＯＦＦ）をダイナミックに行う技術を説明する。第２の実施の形態では、ＣＳＩ（Ｃｈａｎｎｅｌ  Ｓｔａｔｅ  Ｉｎｆｏｒｍａｔｉｏｎ）を用いる場合の解決策として、非アクティベート状態においてもＣＳＩ報告を行えるようにする技術を説明する。
【００２８】
（第１の実施の形態）
まず、第１の実施の形態を説明する。第１の実施の形態では、ＲＲＭ測定において、測定設定がなされている場合に常に測定を行うのでなく、測定設定がなされていても、不要な測定を停止させるものである。より具体的な処理内容を図８を参照して説明する。図８は、第１の実施の形態における処理シーケンスを示す図である。
【００２９】
ステップ１０１において、基地局ｅＮＢはユーザ装置ＵＥに対し、ＳＣｅｌｌ追加設定指示を送信し、ユーザ装置ＵＥは当該ＳＣｅｌｌ追加設定指示を受信し、ＳＣｅｌｌの追加設定を行う。ＳＣｅｌｌ追加設定指示は、例えば、ＲＲＣ  ｃｏｎｎｅｃｔｉｏｎ  ｒｅｃｏｎｆｉｇｕｒａｔｉｏｎメッセージにより通知される。また、ＳＣｅｌｌ追加設定指示には、例えば、追加するＳＣｅｌｌの識別子（ＩＤ）が含まれる。なお、ＣＧ単位の追加設定指示の場合には、例えば、追加するＣＧのＩＤが含まれる。
【００３０】
ステップ１０１において追加される１つ又は複数のＳＣｅｌｌは、基地局ｅＮＢにおいて現在のＳＣｅｌｌの品質により決定されたものではなく、予め決められたＳＣｅｌｌである。一例として、図７に示したように、ＰＣｅｌｌの範囲内の全てのＳＣｅｌｌを、追加するＳＣｅｌｌとして予め定めておくことができる。
【００３１】
ステップ１０２において、基地局ｅＮＢは、測定設定指示（ｍｅａｓｕｒｅｍｅｎｔ  ｃｏｎｆｉｇｕｒａｔｉｏｎ）をユーザ装置ＵＥに送信する。ユーザ装置ＵＥは、測定設定指示で指示された設定（ｃｏｎｆｉｇｕｒｅ）を行う。測定設定指示は、ステップ１０１でのＳＣｅｌｌ追加設定指示と同時に送信されてもよいし、別々に送信されてもよい。測定設定指示には、例えば、測定対象のＳＣｅｌｌ（ＣＧ）及び／又は周波数、測定内容（ＲＳＲＰ／ＲＳＲＱ）、報告方法（周期的、イベント）等が含まれる。
【００３２】
ステップ１０３において、基地局ｅＮＢは、測定停止指示をユーザ装置ＵＥに送信する。測定停止指示は、測定設定指示と同時に送信されてもよいし、別々に送信されてもよい。測定停止指示は、ＲＲＣ信号で送信してもよいし、ＭＡＣ信号で送信してもよい。測定停止指示を受信したユーザ装置ＵＥは、測定設定に基づく測定／報告を開始しない（ステップ１０４）。
【００３３】
ステップ１０３の測定停止指示を省略し、ユーザ装置ＵＥは、最初に測定設定指示を受信した場合に、測定開始指示を受信するまでは測定を開始しないという動作を行ってもよい。
【００３４】
上記のように、ユーザ装置ＵＥは、測定設定指示を受信した後でも、ＳＣｅｌｌ測定を行わないので、非アクティブＳＣｅｌｌの測定に伴う通信のＩｎｔｅｒｒｕｐｔｉｏｎや、測定によるバッテリ消費は生じない。
【００３５】
ステップ１０５において、基地局ｅＮＢは、所定のトリガを検知することで、ユーザ装置ＵＥにＳＣｅｌｌ測定を開始させることを決定する。当該所定のトリガは、例えば、当該ユーザ装置ＵＥに設定した測定停止中のＳＣｅｌｌのエリアにオーバラップしている他のセル（測定中）の品質が向上したこと（例：品質が所定の値以上になったこと）を検出した場合である。また、基地局ｅＮＢが、ユーザ装置ＵＥから受信する信号に基づき、当該ユーザ装置ＵＥがＳＣｅｌｌのエリアに入ったことを検知した場合に、当該ＳＣｅｌｌの測定を開始させることを決定してもよい。また、ＣＧ単位で制御を行う場合は、例えば、ＣＧに含まれる１つ又は複数のセルについて、当該セルのエリアにオーバラップしている他のセル（他のＣＧのセル）の品質が向上したことをトリガとしてよい。
【００３６】
測定開始を決定した基地局ｅＮＢは、ＳＣｅｌｌ測定開始指示をユーザ装置ＵＥに送信する（ステップ１０６）。ＳＣｅｌｌ測定開始指示には、測定開始させるＳＣｅｌｌの識別子（ＩＤ）が含まれる。識別子は、信号のビット位置で示されても良い。本実施の形態において、ＳＣｅｌｌ測定開始指示は、ＭＡＣ信号（ＭＡＣ  ＣＥ）により送信されるが、物理信号（ＰＤＣＣＨ等）もしくはＲＲＣ信号で送信してもよい。
【００３７】
ＳＣｅｌｌ測定開始指示を受信したユーザ装置ＵＥは、測定設定に従って、開始指示されたＳＣｅｌｌの測定を開始し（ステップ１０７）、測定報告（ｍｅａｓｕｒｅｍｅｎｔ  ｒｅｐｏｒｔ）を基地局ｅＮＢに送信する（ステップ１０８）。基地局ｅＮＢは、測定報告に基づき、当該ＳＣｅｌｌの品質が十分に良いと判断した場合に、当該ＳＣｅｌｌをアクティベートさせる指示をユーザ装置ＵＥに送信する（ステップ１０９）。なお、ＣＧ単位での制御の場合、ＣＧを測定するとは、ＣＧに含まれる全部のセルの測定を行うことでもよいし、一部のセルの測定を行うことでもよい。
【００３８】
上述したように、測定開始／停止指示はＭＡＣ信号（ＭＡＣ  ＣＥ）を用いて行うことができる。測定開始／停止指示として使用されるＭＡＣ  ＣＥ（Ｍｅａｓｕｒｅｍｅｎｔ  ａｃｔｉｖａｔｉｏｎ  ＭＡＣ  ＣＥ）の例を図９に示す。図９におけるＣ０等が入るそれぞれの箱はビット位置を示す。図９におけるＣｉは、ＳＣｅｌｌ＃ｉの測定を開始又は停止させるためのフラグであり、例えば、１が開始、０が停止を表す（この逆でもよい）。また、ＣＧ単位で制御を行う場合、例えば、図９におけるＣｉは、ＣＧ＃ｉの測定を開始又は停止させるためのフラグであると見なすこととしてよい。
【００３９】
図１０に示すように、基地局ｅＮＢが、ユーザ装置ＵＥに対して測定開始指示を送信して（ステップ１０６）も、ユーザ装置ＵＥから該当ＳＣｅｌｌについての測定報告を受信できない場合（ステップ２０１）、基地局ｅＮＢは、ユーザ装置ＵＥに対してＳＣｅｌｌ測定停止指示を送信する（ステップ２０２）。この場合、ユーザ装置ＵＥが、無駄な測定動作を行っている可能性があるため、ＳＣｅｌｌ測定停止指示を送信することで、その動作を停止させることができる。また、この場合のＳＣｅｌｌ測定停止指示も上述したようにＭＡＣ  ＣＥを用いて行うことができる。
【００４０】
また、ユーザ装置ＵＥが測定を停止するトリガとして、測定停止指示を受けたことをトリガとすることに加えて、ユーザ装置ＵＥがＳＣｅｌｌ測定開始指示を受けてから所定期間経過したことをトリガとしてもよい。
【００４１】
所定期間経過したことを停止トリガとする場合のシーケンス例を図１１に示す。ユーザ装置ＵＥは、ＳＣｅｌｌ測定開始指示を受信した（ステップ１０６）時点で、タイマを起動し、タイマの満了でもって所定期間満了を検知し（ステップ２１１）、ＳＣｅｌｌ測定開始指示に係るＳＣｅｌｌ測定を停止する（ステップ２１２）。図１１の例では、ユーザ装置ＵＥは、自律的にＳＣｅｌｌ測定停止を行ったことをＲＲＣ信号で基地局ｅＮＢに通知する（ステップ２１３）。なお、この通知を行わないこととしてもよい。所定期間満了の判定に用いるタイマ値は、例えば、図８のステップ１０２における測定設定指示でユーザ装置ＵＥに通知される。このような自律測定停止の制御を行うことで、制御信号のための無線リソースをセーブすることが可能となる。
【００４２】
なお、ユーザ装置ＵＥが、タイマ起動後、タイマ満了前までに再度ＳＣｅｌｌ測定開始指示を受ける場合に、ユーザ装置ＵＥはタイマを再起動してもよい。再起動した時点から再び、タイマが０からスタートする。
【００４３】
図１２は、第１の実施の形態の技術により、従来の測定方法を用いた場合の課題が解決されることを示す図である。図１２の上段に示すように、従来の測定方法を用いた場合はＳｃｅｌｌを設定している間、周期的に測定を行うことになり、バッテリを浪費してしまう。一方、図１２の下段に示す本実施の形態では、Ａで示す測定指示を受けない限り、ＳＣｅｌｌの測定が行われないため、バッテリーセービングが可能となる。この効果は、下記の変形例でも同様である。
【００４４】
（第１の実施の形態の変形例１）
図８等を参照して説明した処理シーケンス（基本例と呼ぶ）では、ユーザ装置ＵＥは、基地局ｅＮＢからの測定開始／停止指示に従ってＳＣｅｌｌ測定の開始・停止を実行するが、これは開始・停止のための所定の条件の例であり、この他の動作として、ユーザ装置ＵＥが自律で開始・停止を行ってもよい。
【００４５】
ユーザ装置ＵＥが自律で開始・停止を行う場合（変形例１と呼ぶ）の処理シーケンスを図１３を参照して説明する。
【００４６】
まず、基本例でのステップ１０１、１０２と同様に、ユーザ装置ＵＥは基地局ｅＮＢからＳＣｅｌｌ追加設定指示を受信し（ステップ３０１）、測定設定指示を受信する（ステップ３０２）。本変形例では、基本例と異なり、ユーザ装置ＵＥは、ＳＣｅｌｌ測定停止指示とＳＣｅｌｌ測定開始指示のいずれも基地局ｅＮＢから受信しない。
【００４７】
測定設定指示を受信したユーザ装置ＵＥは、特定条件が満たされたと判断しない限り、測定設定に基づくＳＣｅｌｌ測定を開始しない。
【００４８】
ステップ３０３において、ユーザ装置ＵＥは、特定条件が満たされたか否かを判定する。この判定は、例えば、定期的に行うこととしてよい。ユーザ装置ＵＥは、特定条件が満たされないと判定した場合（ステップ３０３のＮｏ）、ＳＣｅｌｌ測定を開始しない、もしくは、開始していたＳＣｅｌｌ測定を停止する（ステップ３０４）。
【００４９】
ユーザ装置ＵＥは、特定条件が満たされたと判定した場合（ステップ３０３のＹｅｓ）、ＳＣｅｌｌ測定を開始することを決定し（ステップ３０５）、ＳＣｅｌｌ測定を行って（ステップ３０６）、測定報告を基地局ｅＮＢに送信する（ステップ３０７）。基地局ｅＮＢは、ＳＣｅｌｌ品質が良いと判断すれば、当該ＳＣｅｌｌをアクティベートさせる（ステップ３０８）。
【００５０】
以下、上述した特定条件の例として、条件例１と条件例２を説明する。なお、以下の条件例１と条件例２は、ユーザ装置ＵＥによる判定に係る条件であるが、条件例１と条件例２を基地局ｅＮＢで使用し、基地局ｅＮＢがこれらの条件に基づいて測定開始／停止指示の送信判断を行ってもよい。
【００５１】
＜条件例１＞
条件例１では、ユーザ装置ＵＥは、品質測定を行っている特定のセルの品質が所定値よりも低くなったことを検知した場合に、ＳＣｅｌｌの測定を開始し、特定のセルの品質が所定値よりも高くなった場合に当該ＳＣｅｌｌの測定を停止する。
【００５２】
すなわち、条件例１は、特定のセルの品質低下によるスループット低下を補うために、新たにＳＣｅｌｌを使用するためにＳＣｅｌｌ測定を行うものである。上記の「特定のセル」は、ＰＣｅｌｌでもよいし、基地局ｅＮＢからＲＲＣ信号等で指定されたセルでもよいし、セル識別子（ＣｅｌｌＩｎｄｅｘ／ＳＣｅｌｌＩｎｄｅｘ等）の最も大きい、もしくは最も小さいものでもよいし、ＰＵＣＣＨが設定されているＳＣｅｌｌでもよい。また、所定値と比較する品質は、ＲＳＲＰでもよいし、ＲＳＲＱでもよい。なお、ＣＧ単位での制御を行う場合、上記の「特定のセル」に該当する「特定のＣＧ」は、例えばＰＣｅｌｌが含まれるＣＧとすることができる。また、「特定のＣＧ」の品質は、特定のＣＧの中の特定のセル（例：ＰＣｅｌｌ）の品質であってもよいし、「特定のＣＧ」に含まれる各セルの品質の合計（例：ＣＧで実現できるスループットに相当する値）であってもよい。
【００５３】
＜条件例２＞
条件例２は、ユーザ装置ＵＥが、特定の品質条件を満たすサービングセル（品質測定を行っているセル）の数が所定値以上となったことを検知した場合（各セルの品質が所定の閾値を超過する場合）に、ＳＣｅｌｌ（例：まだアクティブ化されていないが、測定を開始していたＳＣｅｌｌ）の測定を停止し、特定の品質条件を満たすセルの数が所定値を下回ったことを検知した場合に、ＳＣｅｌｌの測定を開始することとしてもよい。
【００５４】
条件例１と条件例２における閾値（所定値）は、例えば、基地局ｅＮＢからＲＲＣ信号等で設定された値である。この閾値は、ＵＥ単位で設定されてもよいし、セル毎に設定されてもよいし、セルグループ毎に設定されてもよい。なお、条件例２に関し、ＣＧ単位で制御を行う場合でも、上記と同じ判定方法でもよいし、特定の品質条件を満たすセルの数に代えて、特定の品質条件を満たすＣＧの数を用いた判定を行ってもよい。
【００５５】
また、本変形例におけるユーザ装置ＵＥが自律で測定開始／停止を行う制御については、基地局ｅＮＢからユーザ装置ＵＥに対して、自律制御の指示があったときに実施し、指示がないときには、基本例の制御を行うようにしてもよい。
【００５６】
（第１の実施の形態の変形例２）
現状のＬＴＥシステムは、通信事業者に割り当てられたライセンスバンドで運用が行われている。一方で、増加するユーザトラヒックを吸収するために、更に周波数バンドを追加する必要があるが、ライセンスバンドの帯域には限りがあるため、ライセンスバンド以外に用いることができるバンド（アンライセンスバンド）をＬＴＥとして使用して帯域を拡張することがＲｅｌ−１３においてＬＡＡ（Ｌｉｃｅｎｓｅｄ  Ａｓｓｉｓｔｅｄ  Ａｃｃｅｓｓ）として検討されている。
【００５７】
アンライセンスバンドにおいては、当該周波数で通信している装置が他に存在する場合には、通信を行うことが禁止されている。従って、ＬＡＡにおいて通信を行う際には、アンライセンスバンドで他の通信がないことを確認する必要があり、これをＬＢＴ（Ｌｉｓｔｅｎ  Ｂｅｆｏｒｅ  Ｔａｌｋ）と呼ぶ。
【００５８】
基地局ｅＮＢ側のＤＬ送信においてＬＢＴ：ＮＧとなると、（Ｒｅｆｅｒｅｎｃｅ  Ｓｉｇｎａｌを含めて）ＤＬ送信が停止され、ユーザ装置ＵＥからすると当該周波数のセルのエリア外へ遷移したように見える。
【００５９】
一方、そのようなケースでは、ＬＡＡに接続しているユーザ装置ＵＥからライセンスバンドを介して一斉にＭｅａｓｕｒｅｍｅｎｔ  ｒｅｐｏｒｔ（ＳＣｅｌｌ品質劣化）が報告されるため、リソース効率の観点で望ましくない。
【００６０】
そこで、変形例２では、ＬＡＡを行う場合において、基地局ｅＮＢにおけるＤＬ  ＬＢＴの結果に基づき、基本例（図８）と同様の方法で、ユーザ装置ＵＥのＬＡＡセル（アンライセンスバンドのセル）測定を停止させることとしている。
【００６１】
変形例２の処理シーケンス例を図１４に示す。基本例と同様にして、ＳＣｅｌｌ追加設定指示（ステップ３１１）、測定設定指示、ＳＣｅｌｌ測定停止指示が行われた後、ステップ３１２で、基地局ｅＮＢが、アンライセンスバンドでの周波数（設定したＳＣｅｌｌに該当）でＬＢＴ：ＯＫを検出すると、基地局ｅＮＢは、当該ＳＣｅｌｌについての測定開始指示をユーザ装置ＵＥに送信する（ステップ３１３）。これにより、ユーザ装置ＵＥは当該ＳＣｅｌｌの測定を開始する。
【００６２】
ステップ３１４で、基地局ｅＮＢが、当該周波数でＬＢＴ：ＮＧを検出すると、基地局ｅＮＢは、当該ＳＣｅｌｌについての測定停止指示をユーザ装置ＵＥに送信する（ステップ３１５）。これにより、ユーザ装置ＵＥは当該ＳＣｅｌｌの測定／報告を停止する。
【００６３】
なお、基地局ｅＮＢが上記の測定開始／停止指示を各ＵＥに対してライセンスバンドを介して個別に通知すると、Ｃ−ｐｌａｎｅの信号が大量に無線で送信されることになる。従って、測定開始／停止指示は、ライセンスバンド側の報知信号（システム情報）で通知されてもよい。当該報知信号により、測定の停止・開始、及び、対象となるセルの識別子、周波数等が各ＵＥに通知される。
【００６４】
（第２の実施の形態）
次に、第２の実施の形態を説明する。第２の実施の形態では、ユーザ装置ＵＥは、非アクティブ状態にあるＳＣｅｌｌについてのＣＳＩ報告を行う。この状態を、Ｐｒｅ−ａｃｔｉｖａｔｉｏｎ状態と呼んでもよい。ＳＣｅｌｌがアクティブ状態にある場合には、ＣＳＩ（ＣＱＩ等）報告の他、ＳＲＳ送信、ＰＤＣＣＨモニタリング、ｓＣｅｌｌＤｅａｃｔｉｖａｔｉｏｎＴｉｍｅｒ起動等の動作を行うが、本実施の形態では、ＣＳＩ報告のみを行うので、アクティブ状態に比べてバッテリ消費を抑えることが可能である。
【００６５】
より具体的な処理内容を図１５を参照して説明する。図１５は、第２の実施の形態における処理シーケンスを示す図である。
【００６６】
ステップ４０１において、基地局ｅＮＢはユーザ装置ＵＥに対し、ＳＣｅｌｌ追加設定指示を送信し、ユーザ装置ＵＥは当該ＳＣｅｌｌ追加設定指示を受信し、ＳＣｅｌｌの追加設定を行う。この段階では、各ＳＣｅｌｌは非アクティブ状態にあり、アクティブ化指示を基地局ｅＮＢから受信するまで非アクティブ状態のままである。ＳＣｅｌｌ追加設定指示は、例えば、ＲＲＣ  ｃｏｎｎｅｃｔｉｏｎ  ｒｅｃｏｎｆｉｇｕｒａｔｉｏｎメッセージにより通知される。また、ＳＣｅｌｌ追加設定指示には、例えば、追加するＳＣｅｌｌの識別子（ＩＤ）が含まれる。ＣＧ単位で制御を行う場合、追加設定指示には、例えばＣＧのＩＤが含まれる。
【００６７】
ステップ４０１において追加される１つ又は複数のＳＣｅｌｌは、基地局ｅＮＢにおいて現在のＳＣｅｌｌの品質により決定されたものではなく、予め決められたＳＣｅｌｌである。
【００６８】
ステップ４０２において、基地局ｅＮＢは、所定のトリガを検知することで、ユーザ装置ＵＥにＳＣｅｌｌ測定（ＳＣｅｌｌの周波数キャリアのＣＳＩ測定）を開始させることを決定する。当該所定のトリガは、例えば、第１の実施の形態における図８のステップ１０５でのトリガと同じとしてよい。
【００６９】
測定開始を決定した基地局ｅＮＢは、ＳＣｅｌｌ測定開始指示をユーザ装置ＵＥに送信する（ステップ４０３）。ＳＣｅｌｌ測定開始指示には、測定開始させるＳＣｅｌｌの識別子（ＩＤ）が含まれる。ＣＧ単位での制御の場合は、例えば、ＣＧのＩＤが含まれる。識別子は、信号のビット位置で示されても良い。本実施の形態においても第１の実施の形態と同様に、ＳＣｅｌｌ測定開始指示は、ＭＡＣ信号（ＭＡＣ  ＣＥ）により送信されるが、物理信号（ＰＤＣＣＨ等）もしくはＲＲＣ信号で送信してもよい。また、ＭＡＣ信号を使用する場合のＭＡＣ  ＣＥのフォーマットの例は、図９に示したとおりのものでよい。
【００７０】
ＳＣｅｌｌ測定開始指示を受信したユーザ装置ＵＥは、追加設定されたＳＣｅｌｌをアクティベートすることなく、当該ＳＣｅｌｌについてのＣＳＩ測定を行って、ＣＳＩを基地局ｅＮＢに送信する（ステップ４０４）。なお、ＣＧ単位で制御を行う場合、ユーザ装置ＵＥは、追加設定されたＣＧ内の各セルをアクティベートすることなく、当該ＣＧの全セル又は一部のセルについてのＣＳＩ測定を行って、ＣＳＩを基地局ｅＮＢに送信する。
【００７１】
基地局ｅＮＢは、あるＳＣｅｌｌについて良好な品質であることを示すＣＳＩを受信した場合（ステップ４０５のＹｅｓ）に、当該ＳＣｅｌｌをアクティベートする（ステップ４０６）。また、ＣＧ単位制御の場合は、ＣＧ内の一部のセルで良好な品質であることを示すＣＳＩを受信した場合に、当該ＣＧをアクティベートさせてもよいし、ＣＧ内の全部のセルで良好な品質であることを示すＣＳＩを受信した場合に、当該ＣＧをアクティベートさせてもよい。
【００７２】
また、基地局ｅＮＢは、測定開始を指示したＳＣｅｌｌについて良好な品質であることを示すＣＳＩを受信しない場合（ステップ４０５のＮｏ）に、当該ＳＣｅｌｌについてのＣＳＩ測定を停止させることとしてもよい（ステップ４０７）。ステップ４０７におけるＳＣｅｌｌ測定停止指示は、測定開始指示と同様に、例えば図９のフォーマットを用いて、ＮＡＣ  ＣＥで行うこととしてよい。
【００７３】
上記の処理において、ステップ４０３でユーザ装置ＵＥがＳＣｅｌｌ測定開始指示を受信してからＣＳＩ測定／報告（ステップ４０４）を開始するタイミングについては、例えば、ＳＣｅｌｌ測定開始指示を受信した時点から所定期間（例：アクティブ化時と同じ８ｍｓ）後とする。
【００７４】
ユーザ装置ＵＥがＳＣｅｌｌのＣＳＩ報告を行うためのＵＬ無線リソース（時間・周波数リソース）については、例えばステップ４０１でのＳＣｅｌｌ追加時に基地局ｅＮＢから予め設定する。
【００７５】
また、ユーザ装置ＵＥがＳＣｅｌｌのＣＳＩ報告を行うためのＵＬリソースとして、他のセル（例：ＰＣｅｌｌ）のＣＳＩ報告用に用意されているリソースを流用してもよい。すなわち、この場合、ＰＣｅｌｌのＣＳＩ報告の一部、或いは全てを一旦停止し、代わりに指定されたＳＣｅｌｌについてのＣＳＩ報告が行われてもよい。ＣＧ単位での制御を行う場合、ＣＧ単位でＣＳＩ報告用のＵＬリソースが用意される場合には、他のＣＧ用のＵＬリソースを用いることとしてよい。また、ＣＧ単位での制御を行う場合でも、上記と同様に、ＰＣｅｌｌ等の他のセルのＣＳＩ報告用に用意されたリソースを流用してもよい。
【００７６】
非アクティブ状態のＳＣｅｌｌのＣＳＩ報告とアクティブ状態のセル（ＰＣｅｌｌ  ｏｒ  ＳＣｅｌｌ）のＣＳＩ報告とが衝突する場合には、非アクティブ状態のＳＣｅｌｌのＣＳＩをドロップすることとしてもよい。もしくは、ＣｅｌｌＩｎｄｅｘの小さい（又は大きい）セルのＣＳＩが優先的にドロップされることとしてもよい。ＣｅｌｌＩｎｄｅｘの小さい（又は大きい）セルとするのは一例に過ぎず、ユーザ装置ＵＥと基地局ｅＮＢとの間で、複数セルのＣＳＩが衝突する際に、どのセルのＣＳＩがドロップされるかの認識を合わせることができる方法で優先的にドロップさせるセルを決めればよい。
【００７７】
また、非アクティブ状態のセル用のＵＬリソースを設定し、当該ＵＬリソースをセル間で共有することとしてもよい。
【００７８】
例えば、「ＳＣｅｌｌ＃１（非アクティブ状態：ＣＳＩ報告ＯＦＦ）、ＳＣｅｌｌ＃２（非アクティブ状態：ＣＳＩ報告ＯＦＦ）」の状態で、ＳＣｅｌｌ＃１／２間で共有のＵＬリソースを設定する。当該共有ＵＬリソースの設定は、基地局ｅＮＢからユーザ装置ＵＥに対してＲＲＣ信号で行ってもよいし、ＭＡＣ信号や物理信号で行ってもよい。また、設定のための信号には、ＵＬリソースを特定する情報と、ＵＬリソースを共有させる複数セルの識別子が含まれてよい。
【００７９】
その後、ユーザ装置ＵＥに対して測定開始指示によりＳＣｅｌｌ＃１で測定を開始させ、共有ＵＬリソースを用いてＣＳＩ報告させる。このときは、「ＳＣｅｌｌ＃１（非アクティブ状態：ＣＳＩ報告ＯＮ）、ＳＣｅｌｌ＃２（非アクティブ状態：ＣＳＩ報告ＯＦＦ）」の状態になる。
【００８０】
ＳＣｅｌｌ＃１で測定を開始させた後、ＳＣｅｌｌ＃１で有効なＣＳＩが報告されない場合には、基地局ｅＮＢはユーザ装置ＵＥに対し、ＳＣｅｌｌ＃１でのＣＳＩ報告を停止し、ＳＣｅｌｌ＃２でＣＳＩ報告させるように指示する。これにより、「ＳＣｅｌｌ＃１（非アクティブ状態：ＣＳＩ報告ＯＦＦ）、ＳＣｅｌｌ＃２（非アクティブ状態：ＣＳＩ報告ＯＮ）」の状態となる。
【００８１】
上記のように、ＵＬリソースを時分割で共有させておくことにより、非アクティブ状態のセルに対して設定するＣＳＩ報告用ＵＬリソースが少なくて済む。なお、ＵＬリソースを時分割で共有させる方式は、ＣＧ単位の制御でも利用できる。すなわち、例えば、上記のＳＣｅｌｌ＃１とＳＣｅｌｌ＃２との間でのＵＬリソース共有と同様に、ＣＧ＃１とＣＧ＃２との間でＵＬリソースを共有させればよい。
【００８２】
また、図１５に示した処理シーケンス例では、基地局ｅＮＢからユーザ装置ＵＥへのＳＣｅｌｌ測定停止指示によりＳＣｅｌｌ測定停止を行っているが、第２の実施の形態においても、第１の実施の形態における図１１を参照した方法と同様にして、ユーザ装置ＵＥが測定開始指示を受けてから所定期間後に自律で停止してもよい。また、タイマの値の設定、タイマの再起動処理についても第１の実施の形態と同様の制御を実施することができる。また、ＳＣｅｌｌ測定の開始に関しても、第１の実施の形態の変形例１で説明した条件を用いて、ＵＥが自律で判断することとしてもよい。
【００８３】
第２の実施の形態において、上述したＣＳＩ報告に係る制御は「ＣＳＩ」のうちのＣＱＩのみに対して適用し、ＲＩ、ＰＴＩ等については適用しなくてもよい。つまり、これまでに説明した処理において、「ＣＳＩ」を「ＣＱＩ」と置き換えてもよい。また、ＣＳＩ報告用の有効なＵＬリソースがない場合（例：ＴＡ  ｔｉｍｅｒ満了時）には、ＣＳＩ報告を行わないこととしてもよい。
【００８４】
図１６は、第２の実施の形態の技術により、従来のＣＳＩ（ＣＱＩ）報告方法を用いた場合の課題が解決されることを示す図である。図１６の上段に示すように、従来の方法を用いた場合はＳＣｅｌｌをアクティベート（ステップ１２）した後でなければＣＱＩ報告（ステップ１３）を行うことができないため、ＳＣｅｌｌを測定する間、ＰＤＣＣＨモニタリング等を行うために、バッテリを浪費してしまう。一方、図１６の下段に示す本実施の形態では、ユーザ装置ＵＥがＡで示す測定指示を受けることで、ＳＣｅｌｌをアクティベートすることなくＳＣｅｌｌのＣＱＩ報告を行うこととしたので、バッテリーセービングが可能となる。
【００８５】
なお、基地局ｅＮＢとユーザ装置ＵＥは、第１、第２の実施の形態の両方の機能を有してもよいし、どちらか一方の機能を有してもよい。
【００８６】
（Ｃａｐａｂｉｌｉｔｙ通知）
既に説明したように、バッテリーセービングの観点からは、設定した全てのＳＣｅｌｌを同時にアクティブ化することは望ましくない。また、同時にアクティブ化できるセルの数は、ユーザ装置ＵＥのバッテリ効率に依存する。しかし、現状、同時にアクティブ化できるセル数についてのｃａｐａｂｉｌｉｔｙがないため、基地局ｅＮＢは、ユーザ装置ＵＥにおける同時にアクティブ化できるセル数を判別することができない。このため、例えば、基地局ｅＮＢは、ユーザ装置ＵＥの能力以上の数のＳＣｅｌｌのアクティブ化を指示してしまう可能性がある。
【００８７】
そこで、本実施の形態（第１、第２の実施の形態に共通）では、ユーザ装置ＵＥが対応しているＣＡ  ｂａｎｄ  ｃｏｍｂｉｎａｔｉｏｎに含まれるＣＣ／バンドで構成されるセル（例：ＳＣｅｌｌ）について、いくつのセルまで同時にアクティベートしてよいか（バッテリセービング観点で耐えられる）の能力情報をユーザ装置ＵＥから基地局ｅＮＢに通知する。能力情報の通知は、ＵＥ単位でもよいし、ｂａｎｄ  ｃｏｍｂｉｎａｔｉｏｎ単位でもよい。ＵＥ単位の場合は、例えば、あるＵＥについてＸ個という指定がなされ、ＵＥにおける設定可能な全てのｂａｎｄ  ｃｏｍｂｉｎａｔｉｏｎについてＸ個が適用される。また、ｂａｎｄ  ｃｏｍｂｉｎａｔｉｏｎ単位では、ｂａｎｄ  ｃｏｍｂｉｎａｔｉｏｎ１ではＸ個、ｂａｎｄ  ｃｏｍｂｉｎａｔｉｏｎ２ではＹ個等の指定がされる。
【００８８】
図１７に能力通知の手順例を示す。例えば、ユーザ装置ＵＥが基地局ｅＮＢにＲＲＣ接続する際に、ユーザ装置ＵＥは基地局ｅＮＢから能力情報問い合わせ（ＵＥ  Ｃａｐａｂｉｌｉｔｙ  Ｅｎｑｕｉｒｙ）を受信し（ステップ５０１）、ユーザ装置ＵＥは、アクティブ化できるセル数を含む能力情報（ＵＥ  Ｃａｐａｂｉｌｉｔｙ  ｉｎｆｏｒｍａｔｉｏｎ）を基地局ｅＮＢに送信する（ステップ５０２）。
【００８９】
また、ユーザ装置ＵＥは、能力情報として、同時にアクティベートできるＣＧの数を基地局ｅＮＢに通知してもよい。
【００９０】
（装置構成例）
次に、これまでの説明した全ての処理を実行可能なユーザ装置ＵＥと基地局ｅＮＢにおける主要な構成を説明する。
【００９１】
まず、図１８に、本実施の形態に係るユーザ装置ＵＥの機能構成図を示す。図１８に示すように、ユーザ装置ＵＥは、ＵＬ信号送信部１０１、ＤＬ信号受信部１０２、ＲＲＣ管理部１０３、測定部１０４を含む。図１８は、ユーザ装置ＵＥにおいて本発明の実施の形態に特に関連する機能部のみを示すものであり、少なくともＬＴＥに準拠した動作を行うための図示しない機能も有するものである。また、図１８に示す機能構成は一例に過ぎない。本実施の形態に係る動作を実行できるのであれば、機能区分や機能部の名称はどのようなものでもよい。
【００９２】
ＵＬ信号送信部１０１は、ユーザ装置ＵＥから送信されるべき上位のレイヤの信号から、物理レイヤの各種信号を生成し、無線送信する機能を含む。ＤＬ信号受信部１０２は、基地局ｅＮＢから各種の信号を無線受信し、受信した物理レイヤの信号からより上位のレイヤの信号を取得する機能を含む。ＵＬ信号送信部１０１及びＤＬ信号受信部１０２はそれぞれ、複数のＣＣを束ねて通信を行うＣＡを実行する機能（ＳＣｅｌｌ（又はＣＧ）アクティベート／非アクティベートを行う機能を含む）を有する。ＵＬ信号送信部１０１及びＤＬ信号受信部１０２をまとめて通信部と称してもよい。
【００９３】
ＵＬ信号送信部１０１及びＤＬ信号受信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００９４】
ＲＲＣ管理部１０３は、基地局ｅＮＢとの間でＲＲＣメッセージの送受信を行うとともに、追加ＳＣｅｌｌ等のＣＡ情報の設定／変更／管理、構成変更等の処理を行う機能を含む。また、ＲＲＣ管理部１０３は、ユーザ装置ＵＥの能力（Ｃａｐａｂｉｌｉｔｙ）の情報を保持し、能力の情報を基地局ｅＮＢに通知する機能も含む。ＲＲＣ管理部１０３がＳＣｅｌｌ／ＣＧを設定することは、ＳＣｅｌｌ／ＣＧのＩＤ等の情報を、ＣＡでの追加ＳＣｅｌｌ／ＣＧの情報として記憶手段に記憶することを含む。
【００９５】
測定部１０４は、第１及び第２の実施の形態で説明した測定の開始／停止の判断、測定、及び報告を行う機能を含む。測定部１０４は、指示の受信をＤＬ信号受信部１０２を介して行い、測定報告（ＣＳＩ報告）の送信をＵＬ信号送信部１０１を介して行う。
【００９６】
図１８に示すユーザ装置ＵＥの構成は、全体をハードウェア回路（例：１つ又は複数のＩＣチップ）で実現してもよいし、一部をハードウェア回路で構成し、その他の部分をＣＰＵとプログラムとで実現してもよい。
【００９７】
図１９は、ユーザ装置ＵＥのハードウェア（ＨＷ）構成の例を示す図である。図１９は、図１８よりも実装例に近い構成を示している。図１９に示すように、ＵＥは、無線信号に関する処理を行うＲＥ（Ｒａｄｉｏ  Ｅｑｕｉｐｍｅｎｔ）モジュール１５１と、ベースバンド信号処理を行うＢＢ（Ｂａｓｅ  Ｂａｎｄ）処理モジュール１５２と、上位レイヤ等の処理を行う装置制御モジュール１５３と、ＵＳＩＭカードにアクセスするインタフェースであるＵＳＩＭスロット１５４とを有する。
【００９８】
ＲＥモジュール１５１は、ＢＢ処理モジュール１５２から受信したデジタルベースバンド信号に対して、Ｄ／Ａ（Ｄｉｇｉｔａｌ−ｔｏ−Ａｎａｌｏｇ）変換、変調、周波数変換、及び電力増幅等を行うことでアンテナから送信すべき無線信号を生成する。また、受信した無線信号に対して、周波数変換、Ａ／Ｄ（Ａｎａｌｏｇ  ｔｏ  Ｄｉｇｉｔａｌ）変換、復調等を行うことでデジタルベースバンド信号を生成し、ＢＢ処理モジュール１５２に渡す。ＲＥモジュール１５１は、例えば、図１８のＵＬ信号送信部１０１及びＤＬ信号受信部１０２における物理レイヤ等の機能を含む。
【００９９】
ＢＢ処理モジュール１５２は、ＩＰパケットとデジタルベースバンド信号とを相互に変換する処理を行う。ＤＳＰ（Ｄｉｇｉｔａｌ  Ｓｉｇｎａｌ  Ｐｒｏｃｅｓｓｏｒ）１６２は、ＢＢ処理モジュール１５２における信号処理を行うプロセッサである。メモリ１７２は、ＤＳＰ１６２のワークエリアとして使用される。ＢＢ処理モジュール１５２は、例えば、図１８のＵＬ信号送信部１０１及びＤＬ信号受信部１０２におけるレイヤ２等の機能、ＲＲＣ処理部１０３及び測定部１０４を含む。なお、ＲＲＣ処理部１０３、測定部１０４の機能の全部又は一部を装置制御モジュール１５３に含めることとしてもよい。
【０１００】
装置制御モジュール１５３は、ＩＰレイヤのプロトコル処理、各種アプリケーションの処理等を行う。プロセッサ１６３は、装置制御モジュール１５３が行う処理を行うプロセッサである。メモリ１７３は、プロセッサ１６３のワークエリアとして使用される。また、プロセッサ１６３は、ＵＳＩＭスロット１５４を介してＵＳＩＭとの間でデータの読出し及び書込みを行う。
【０１０１】
図２０に、本実施の形態に係る基地局ｅＮＢの機能構成図を示す。図２０に示すように、基地局ｅＮＢは、ＤＬ信号送信部２０１、ＵＬ信号受信部２０２、ＲＲＣ管理部２０３、測定指示制御部２０４、スケジューリング部２０５を含む。図２０は、基地局ｅＮＢにおいて本発明の実施の形態に特に関連する機能部のみを示すものであり、少なくともＬＴＥに準拠した動作を行うための図示しない機能も有するものである。また、図２０に示す機能構成は一例に過ぎない。本実施の形態に係る動作を実行できるのであれば、機能区分や機能部の名称はどのようなものでもよい。
【０１０２】
ＤＬ信号送信部２０１は、基地局ｅＮＢから送信されるべき上位のレイヤの信号から、物理レイヤの各種信号を生成し、無線送信する機能を含む。ＵＬ信号受信部２０２は、各ＵＥから各種の信号を無線受信し、受信した物理レイヤの信号からより上位のレイヤの信号を取得する機能を含む。ＤＬ信号送信部２０１及びＵＬ信号受信部２０２はそれぞれ、複数のＣＣを束ねて通信を行うＣＡ（ＤＣでのＣＡを含む）を実行する機能を含む。また、ＤＬ信号送信部２０１及びＵＬ信号受信部２０２は、ＲＲＥのように、基地局ｅＮＢの本体（制御部）から遠隔に設置された無線通信部であってもよい。
【０１０３】
ＤＬ信号送信部２０１及びＵＬ信号受信部２０２はそれぞれ、パケットバッファを備え、レイヤ１（ＰＨＹ）及びレイヤ２（ＭＡＣ、ＲＬＣ、ＰＤＣＰ）の処理を行うことを想定している（ただし、これに限られるわけではない）。
【０１０４】
ＲＲＣ管理部２０３は、ユーザ装置ＵＥとの間でＲＲＣメッセージの送受信を行うとともに、ＣＡの設定／変更／管理、構成変更等の処理を行う機能を含む。ＲＲＣ管理部２０３は、ＣＡの設定を行う機能部であるので、設定部と呼んでもよい。
【０１０５】
測定指示制御部２０４は、第１及び第２の実施の形態で説明したように、ＳＣｅｌｌ／ＣＧ測定開始／停止の判定、及びＳＣｅｌｌ／ＣＧ測定開始／停止の指示送信を行う機能を含む。スケジューリング部２０５は、ＣＡを実施するユーザ装置ＵＥに対し、スケジューリングを行う機能を含む。
【０１０６】
図２０に示す基地局ｅＮＢの構成は、全体をハードウェア回路（例：１つ又は複数のＩＣチップ）で実現してもよいし、一部をハードウェア回路で構成し、その他の部分をＣＰＵとプログラムとで実現してもよい。
【０１０７】
図２１は、基地局ｅＮＢのハードウェア（ＨＷ）構成の例を示す図である。図２１は、図２０よりも実装例に近い構成を示している。図２１に示すように、基地局ｅＮＢは、無線信号に関する処理を行うＲＥモジュール２５１と、ベースバンド信号処理を行うＢＢ処理モジュール２５２と、上位レイヤ等の処理を行う装置制御モジュール２５３と、ネットワークと接続するためのインタフェースである通信ＩＦ２５４とを有する。
【０１０８】
ＲＥモジュール２５１は、ＢＢ処理モジュール２５２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール２５２に渡す。ＲＥモジュール２５１は、例えば、図２０のＤＬ信号送信部２０１及びＵＬ信号受信部２０２における物理レイヤ等の機能を含む。
【０１０９】
ＢＢ処理モジュール２５２は、ＩＰパケットとデジタルベースバンド信号とを相互に変換する処理を行う。ＤＳＰ２６２は、ＢＢ処理モジュール２５２における信号処理を行うプロセッサである。メモリ２７２は、ＤＳＰ２５２のワークエリアとして使用される。ＢＢ処理モジュール２５２は、例えば、図２０のＤＬ信号送信部２０１及びＵＬ信号受信部２０２におけるレイヤ２等の機能、ＲＲＣ処理部２０３、測定指示制御部２０４、スケジューリング部２０５を含む。なお、ＲＲＣ処理部２０３、測定指示制御部２０４、スケジューリング部２０５の機能の全部又は一部を装置制御モジュール２５３に含めることとしてもよい。
【０１１０】
装置制御モジュール２５３は、ＩＰレイヤのプロトコル処理、ＯＡＭ処理等を行う。プロセッサ２６３は、装置制御モジュール２５３が行う処理を行うプロセッサである。メモリ２７３は、プロセッサ２６３のワークエリアとして使用される。補助記憶装置２８３は、例えばＨＤＤ等であり、基地局ｅＮＢ自身が動作するための各種設定情報等が格納される。
【０１１１】
動作例１として、図２２に、第１の実施の形態におけるユーザ装置ＵＥの動作例のフローチャートを示す。ここでは既にＳＣｅｌｌ追加設定は完了しているとする。
【０１１２】
ステップ６０１において、基地局ｅＮＢからのＲＲＣ信号に基づき、ユーザ装置ＵＥのＲＲＣ管理部１０３によりＳＣｅｌｌ測定設定がなされる。
【０１１３】
ステップ６０２において、測定部１０４は、測定設定に係るＳＣｅｌｌ測定の開始指示を基地局ｅＮＢから受信したかどうかを判断し、受信している場合（ステップ６０２のＹｅｓ）には、当該ＳＣｅｌｌの測定を行って、測定報告を作成し、ＵＬ信号送信部１０１に測定報告の送信を指示することで測定報告を送信する（ステップ６０３）。
【０１１４】
動作例２として、図２３に、第２の実施の形態におけるユーザ装置ＵＥの動作例のフローチャートを示す。
【０１１５】
ステップ７０１において、基地局ｅＮＢからのＲＲＣ信号に基づき、ユーザ装置ＵＥのＲＲＣ管理部１０３によりＳＣｅｌｌ追加設定がなされる。
【０１１６】
ステップ７０２において、測定部１０４は、追加したＳＣｅｌｌについての測定／報告の開始指示を基地局ｅＮＢから受信したかどうかを判断し、受信している場合（ステップ７０２のＹｅｓ）には、当該ＳＣｅｌｌの測定を行って、ＣＳＩを作成し、ＵＬ信号送信部１０１にＣＳＩ報告送信を指示することでＣＳＩ報告を行う（ステップ７０３）。
【０１１７】
（実施の形態のまとめ）
以上、説明したように、本実施の形態では、キャリアアグリゲーションをサポートする移動通信システムにおいて基地局と通信を行うユーザ装置であって、前記基地局から前記キャリアアグリゲーションにおけるセル又はセルグループを追加するための設定メッセージを受信し、当該セル又はセルグループの設定を行うとともに、前記基地局から当該セル又はセルグループの測定に関する測定設定情報を受信する管理部と、所定の条件が満たされるまで、前記測定設定情報に基づく前記セル又はセルグループの測定を行わず、当該所定の条件が満たされた場合に、前記測定設定情報に基づく前記セル又はセルグループの測定を行って、測定報告を前記基地局に送信する測定部とを備えるユーザ装置が提供される。
【０１１８】
この構成により、バッテリ消費を抑えながら、キャリアアグリゲーションで使用されるセルの品質測定を実施することが可能となる。
【０１１９】
前記所定の条件は、例えば、前記測定部が前記基地局から測定開始指示を受信することである。この構成により、ユーザ装置は基地局からの指示で測定開始判断を行うことができるので、ユーザ装置における測定開始判断に係る処理を簡易に実現できる。
【０１２０】
前記測定部は、前記測定開始指示を受信してから所定期間が経過した場合、又は、前記基地局から測定停止指示を受信した場合に、前記セル又はセルグループの測定を停止することとしてもよい。この構成により、ユーザ装置は適切に測定停止を実施でき、無駄な測定動作を回避できる。
【０１２１】
前記所定の条件は、特定のセル又は特定のセルグループの品質が所定値よりも低くなったこと、又は、特定の品質条件を満たすセル又はセルグループの数が所定値未満になったことであることとしてもよい。この構成により、ユーザ装置は自律で測定開始を判断できるので、基地局が測定開始指示をサポートしていない場合でも、ユーザ装置は適切な測定開始制御を実施できる。
【０１２２】
また、本実施の形態では、キャリアアグリゲーションをサポートする移動通信システムにおいて基地局と通信を行うユーザ装置であって、前記基地局から前記キャリアアグリゲーションにおけるセル又はセルグループを追加するための設定メッセージを受信し、当該セル又はセルグループの設定を行う管理部と、非アクティブ状態にある前記セル又はセルグループをアクティブ化させることなく、当該セル又はセルグループについてのチャネル状態の測定を行い、当該セル又はセルグループのチャネル状態情報を前記基地局に送信する測定部と、前記測定部により前記セル又はセルグループのチャネル状態情報の送信が行われた後に、前記基地局から前記セル又はセルグループのアクティブ化指示を受信した場合に、当該セル又はセルグループをアクティブ化する通信部とを備えるユーザ装置が提供される。
【０１２３】
この構成により、バッテリ消費を抑えながら、キャリアアグリゲーションで使用されるセルの品質測定を実施することができる。
【０１２４】
前記測定部は、前記基地局から測定開始指示を受信してから所定期間後に前記測定を開始することとしてもよい。この構成により、ユーザ装置と基地局は同じ測定開始タイミングの認識を持つことができ、基地局は迅速な品質判定を実施できる。
【０１２５】
前記測定部は、前記セル又はセルグループのチャネル状態情報を前記基地局に送信するために使用する上り無線リソースとして、他のセル又はセルグループのチャネル状態情報を送信するために用意された上り無線リソースを利用することとしてもよい。この構成により、追加リソースを用意することなく追加セル又はセルグループについてのチャネル状態情報を送信できる。
【０１２６】
前記管理部は、前記ユーザ装置において同時にアクティブ化することができるセル又はセルグループの数を含む能力情報を前記基地局に通知することとしてもよい。この構成により、基地局は、ユーザ装置において同時にアクティブ化することができるセル又はセルグループの数を把握できる。
【０１２７】
本実施の形態で説明したユーザ装置ＵＥは、ＣＰＵとメモリを備え、プログラムがＣＰＵ（プロセッサ）により実行されることで実現される構成であってもよいし、第１、第２の実施の形態で説明する処理のロジックを備えたハードウェア回路等のハードウェアで実現される構成であってもよいし、プログラムとハードウェアが混在していてもよい。
【０１２８】
本実施の形態で説明した基地局ｅＮＢは、ＣＰＵとメモリを備え、プログラムがＣＰＵ（プロセッサ）により実行されることで実現される構成であってもよいし、第１、第２の実施の形態で説明する処理のロジックを備えたハードウェア回路等のハードウェアで実現される構成であってもよいし、プログラムとハードウェアが混在していてもよい。
【０１２９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【０１３０】
本特許出願は２０１５年１月２９日に出願した日本国特許出願第２０１５−０１５９９９号に基づきその優先権を主張するものであり、日本国特許出願第２０１５−０１５９９９号の全内容を本願に援用する。
【符号の説明】
【０１３１】
ＵＥ  ユーザ装置
ｅＮＢ  基地局
１０１  ＵＬ信号送信部
１０２  ＤＬ信号受信部
１０３  ＲＲＣ管理部
１０４  測定部
１５１  ＲＥモジュール
１５２  ＢＢ処理モジュール
１５３  装置制御モジュール
１５４  ＵＳＩＭスロット
２０１  ＤＬ信号送信部
２０２  ＵＬ信号受信部
２０３  ＲＲＣ管理部
２０４  測定指示制御部
２０５  スケジューリング部
２５１  ＲＥモジュール
２５２  ＢＢ処理モジュール
２５３  装置制御モジュール
２５４  通信ＩＦ
【図１】
2016121877.tif 000003
【図２】
2016121877.tif 000004
【図３】
2016121877.tif 000005
【図４】
2016121877.tif 000006
【図５】
2016121877.tif 000007
【図６】
2016121877.tif 000008
【図７】
2016121877.tif 000009
【図８】
2016121877.tif 000010
【図９】
2016121877.tif 000011
【図１０】
2016121877.tif 000012
【図１１】
2016121877.tif 000013
【図１２】
2016121877.tif 000014
【図１３】
2016121877.tif 000015
【図１４】
2016121877.tif 000016
【図１５】
2016121877.tif 000017
【図１６】
2016121877.tif 000018
【図１７】
2016121877.tif 000019
【図１８】
2016121877.tif 000020
【図１９】
2016121877.tif 000021
【図２０】
2016121877.tif 000022
【図２１】
2016121877.tif 000023
【図２２】
2016121877.tif 000024
【図２３】
2016121877.tif 000025
【国際調査報告】
2016121877.tif 000026
2016121877.tif 000027